(57)【要約】【課題】エンジン音や出力特性の変化を防止して、オペレータが異常として誤認することを防ぐことができるディーゼルエンジンを提供することを目的とする。【解決手段】ディーゼルパティキュレートフィルタ２２が設けられたディーゼルエンジン１００において、ディーゼルエンジン１００の出力を算出するとともに、ディーゼルパティキュレートフィルタ２２に堆積している粒子状物質を酸化させるための所定の制御を行なう電子制御コントローラ３を備え、電子制御コントローラ３は、ディーゼルエンジン１００の出力が高出力運転領域にあるときに、所定の制御を禁止するものとした。【選択図】図１
2010281312.tif 000002
【特許請求の範囲】
【請求項１】
排気ガスに含まれる粒子状物質を捕集するとともに酸化させるディーゼルパティキュレートフィルタが設けられたディーゼルエンジンにおいて、
前記ディーゼルエンジンの出力を算出するとともに、前記ディーゼルパティキュレートフィルタに堆積している粒子状物質を酸化させるための所定の制御を行なう電子制御コントローラを備え、
前記電子制御コントローラは、前記ディーゼルエンジンの出力が高出力運転領域にあるときに、前記所定の制御を禁止する、ことを特徴とするディーゼルエンジン。
【請求項２】
前記電子制御コントローラは、前記ディーゼルエンジンの出力が高出力運転領域にないときに、前記ディーゼルエンジンの出力に応じて前記所定の制御を行なう、ことを特徴とする請求項１に記載のディーゼルエンジン。
【請求項３】
前記電子制御コントローラは、前記ディーゼルエンジンの運転状態に基づいて前記ディーゼルエンジンの出力を算出するように構成する、ことを特徴とする請求項１又は請求項２に記載のディーゼルエンジン。
【請求項４】
排気ガスの温度を検出する温度センサを備え、
前記電子制御コントローラは、前記温度センサにより検出された排気ガスの温度から前記ディーゼルエンジンの出力を算出するように構成する、ことを特徴とする請求項１又は請求項２に記載のディーゼルエンジン。
【請求項５】
前記所定の制御を変更する変更手段を備え、
前記電子制御コントローラは、前記変更手段の手動操作に応じて前記所定の制御を中止または実行することを可能とする、ことを特徴とする請求項１から請求項４のいずれか一項に記載のディーゼルエンジン。
【発明の詳細な説明】
【技術分野】
【０００１】
本発明は、ディーゼルエンジンの制御技術に関する。より詳細にはディーゼルエンジンに備えられたディーゼルパティキュレートフィルタの再生制御の技術に関する。
【背景技術】
【０００２】
従来、ディーゼルエンジンの排気ガスに含まれる粒子状物質を捕集するとともに酸化させるディーゼルパティキュレートフィルタが公知となっている。また、吸入空気量を調量するための吸気絞りや、一回又は複数回の燃料噴射を可能としたコモンレールシステム等を用いることによって、ディーゼルパティキュレートフィルタに堆積している粒子状物質を強制的に酸化させる技術も公知となっている。
【０００３】
そして、ディーゼルエンジンの電子制御コントローラが、所定の制御をなさずともディーゼルパティキュレートフィルタに堆積している粒子状物質が酸化される連続再生と、所定の制御をなすことによってディーゼルパティキュレートフィルタに堆積している粒子状物質を酸化させる強制再生とを、予め設定された条件に応じて自動に切り替えることで、ディーゼルエンジンの全運転領域において排気ガスの浄化を可能とする技術があった。（例えば特許文献１参照。）。
【０００４】
しかし、特にディーゼルエンジンの出力が高出力運転領域にある場合においては、連続再生から強制再生へ切り替えが行なわれた際に、エンジン音や出力特性に比較的に大きな変化が生じる場合があり、これをオペレータがディーゼルエンジンの異常として誤認するという懸念があった。また、ディーゼルエンジンの出力が低出力運転領域にある場合においても突然のエンジン音や出力特性の変化が生じた場合には同様に異常として誤認する懸念があった。
【先行技術文献】
【特許文献】
【０００５】
【特許文献１】特開２００５−２８２５４５号公報
【発明の概要】
【発明が解決しようとする課題】
【０００６】
本発明はかかる問題を解決すべくなされたものであり、エンジン音や出力特性の変化を防止して、オペレータが異常として誤認することを防ぐことができるディーゼルエンジンを提供することを目的とする。
【課題を解決するための手段】
【０００７】
本発明の解決しようとする課題は以上の如くであり、次にこの課題を解決するための手段を説明する。
【０００８】
即ち、請求項１においては、排気ガスに含まれる粒子状物質を捕集するとともに酸化させるディーゼルパティキュレートフィルタが設けられたディーゼルエンジンにおいて、
前記ディーゼルエンジンの出力を算出するとともに、前記ディーゼルパティキュレートフィルタに堆積している粒子状物質を酸化させるための所定の制御を行なう電子制御コントローラを備え、
前記電子制御コントローラは、前記ディーゼルエンジンの出力が高出力運転領域にあるときに、前記所定の制御を禁止するとしたものである。
【０００９】
請求項２においては、請求項１に記載のディーゼルエンジンにおいて、前記電子制御コントローラは、前記ディーゼルエンジンの出力が高出力運転領域にないときに、前記ディーゼルエンジンの出力に応じて前記所定の制御を行なうとしたものである。
【００１０】
請求項３においては、請求項１または請求項２に記載のディーゼルエンジンにおいて、
前記電子制御コントローラは、前記ディーゼルエンジンの運転状態に基づいて前記ディーゼルエンジンの出力を算出するように構成するとしたものである。
【００１１】
請求項４においては、請求項１または請求項２に記載のディーゼルエンジンにおいて、
排気ガスの温度を検出する温度センサを備え、
前記電子制御コントローラは、前記温度センサにより検出された排気ガスの温度から前記ディーゼルエンジンの出力を算出するように構成するとしたものである。
【００１２】
請求項５においては、請求項１から請求項４のいずれか一項に記載のディーゼルエンジンにおいて、
前記所定の制御を変更する変更手段を備え、
前記電子制御コントローラは、前記変更手段の手動操作に応じて前記所定の制御を中止または実行することを可能としたものである。
【発明の効果】
【００１３】
本発明の効果として、以下に示すような効果を奏する。
【００１４】
請求項１に記載の発明によれば、ディーゼルエンジンの出力が高出力運転領域にある場合において、連続再生から強制再生への切り替えを禁止することでエンジン音や出力特性の変化を防止し、オペレータが異常として誤認することを防ぐことが可能となる。
【００１５】
請求項２に記載の発明によれば、ディーゼルエンジンの出力が高出力運転領域にない場合において、ディーゼルエンジンの出力に応じた強制再生を行なうことで突然のエンジン音や出力特性の変化を防止し、オペレータが異常として誤認することを防ぐことが可能となる。また、強制再生による燃料消費量を減少させることが可能となる。
【００１６】
請求項３に記載の発明によれば、電子制御コントローラから送信される制御信号に基づいてディーゼルエンジンの出力を算出するために、ディーゼルパティキュレートフィルタの再生制御を簡易なものとすることが可能となる。
【００１７】
請求項４に記載の発明によれば、排気ガスの温度からディーゼルエンジンの出力を算出するために、ディーゼルパティキュレートフィルタの再生制御を簡易なものとすることが可能となる。
【００１８】
請求項５に記載の発明によれば、例えば繊細な作業を行なう場合に強制再生を人為的に中止することができ、エンジン音や出力特性の変化を防止し、オペレータが異常として誤認することを防ぐことが可能となる。
【図面の簡単な説明】
【００１９】
【図１】本発明に係るディーゼルエンジンの構成図。
【図２】本発明の第一実施形態に係るディーゼルエンジンのエンジン回転数とトルクとの関係を示す図。
【図３】本発明の第一実施形態に係るディーゼルエンジンの出力と吸気絞りの開度との関係を示す図。
【図４】本発明の第一実施形態に係るディーゼルエンジンの出力と排気ガスの温度との関係を示す図。
【図５】本発明の第一実施形態に係るディーゼルエンジンの別構成例での出力と吸気絞りの開度との関係を示す他の図。
【図６】本発明の第一実施形態に係るディーゼルエンジンの別構成例での出力と排気ガスの温度との関係を示す他の図。
【図７】本発明の第二実施形態に係るディーゼルエンジンの出力と排気ガスの温度との関係を示す図。
【図８】本発明に係るディーゼルエンジンの表示パネルを示す図。
【発明を実施するための形態】
【００２０】
図１に示すように、本発明の第一実施形態に係るディーゼルエンジン１００は、直噴式直列４気筒のディーゼルエンジンであり、主にエンジン本体１と、排気浄化装置２と、電子制御コントローラ３とから構成される。そして、電子制御コントローラ３と電気的に接続された変更手段である表示パネル４は、例えば、ディーゼルエンジン１００が作業車両に搭載される場合では運転席近傍に配置されてオペレータによって視認可能とされる。
【００２１】
まず、エンジン本体１の構成について詳細に説明する。なお、図中の矢印は吸入空気や再循環ガス、排気ガスについての流れの方向を示している。
【００２２】
エンジン本体１は、主にエンジン主体部１１や燃料噴射ポンプ１２、吸気通路１３、排気通路１４、ＥＧＲ装置１５等から構成される。エンジン本体１は、圧縮された空気に燃料を供給することによって燃焼させて、この燃焼による膨張エネルギーから回転動力を得る直噴式ディーゼルエンジンとされる。
【００２３】
エンジン主体部１１は、主にシリンダブロック１１１やシリンダヘッド１１２等の本体部と、ピストン１１３やクランク軸１１４等の運動部とからなる。エンジン主体部１１には、燃焼室がシリンダブロック１１１に設けられたシリンダ穴と、該シリンダ穴に摺動可能に内設されたピストン１１３と、該ピストン１１３に対向するように配置されたシリンダヘッド１１２とで構成される。そして、ピストン１１３は図示しないコネクティングロッドによってクランク軸１１４と連動連結されて、該ピストン１１３の摺動によってクランク軸１１４が回転駆動するものとされる。また、クランク軸１１４の回転は図示しない回転センサによって検出されて、電子制御コントローラ３へ送信される。
【００２４】
燃料噴射ポンプ１２は、回転駆動されるクランク軸１１４からギヤ等を介して駆動されて、該燃料噴射ポンプ１２に内設された図示しないプランジャバレルと該プランジャバレルに摺動可能に嵌挿されたプランジャとによって燃料噴射ノズル１６へ燃料を圧送するものである。
【００２５】
なお、燃料噴射ノズル１６は、その先端部をエンジン主体部１１の燃焼室に突出するようにシリンダヘッド１１２に設けられており、電子制御コントローラ３からの制御信号を受けて一回又は複数回の燃料噴射を任意の時期に行なうことを可能としている。
【００２６】
吸気通路１３は、エンジン主体部１１の燃焼室に吸入空気を導く通路である。吸気通路１３には、エアクリーナ１３１、吸気絞り１３２、吸気マニホールド１３３が空気の流れる方向に沿って順に設けられている。なお、吸気通路１３には吸入空気量を計測するための流量センサや、吸入空気温度を計測するための温度センサ等も設けられることとなるが、本図では簡単のために省略している。
【００２７】
エアクリーナ１３１は、吸入された空気を濾紙又はスポンジ等を用いて濾過するものであり、これによって埃等の異物が燃焼室に混入することを防止している。
【００２８】
吸気絞り１３２は、例えばＤＣサーボモータによって駆動されるバタフライバルブを用いることで、エンジン主体部１１の燃焼室へ供給される吸入空気量を調量するものである。つまり、吸気絞り１３２は、電子制御コントローラ３からの制御信号を受けてバタフライバルブの開度を調節し、吸気通路１３の通路断面積を変化させることによって燃焼室へ供給される吸入空気量を調量可能とするものである。
【００２９】
吸気マニホールド１３３は、エアクリーナ１３１によって濾過された後に吸気絞り１３２によって調量された吸入空気を、それぞれの燃焼室に均等に配分するためのものである。本実施形態に係るエンジン本体１は直列に４箇所の燃焼室を備える、いわゆる直列４気筒エンジンであるために該吸気マニホールド１３３も４つの通路に分岐するように形成されてシリンダヘッド１１２に固設されている。
【００３０】
排気通路１４は、エンジン主体部１１から排出される排気ガスを後述する排気浄化装置２まで導く通路である。排気通路１４には、排気マニホールド１４１、添加剤ノズル１４２、排気絞り１４３が排気ガスの流れる方向に沿って順に設けられている。
【００３１】
排気マニホールド１４１は、エンジン主体部１１の各燃焼室から排出された排気ガスを集合させるものである。前述したように本実施形態に係るディーゼルエンジン１００は直列４気筒エンジンであるために、該排気マニホールド１４１も４つの燃焼室から延びる通路を一つの通路に合流させる形状となっている。
【００３２】
添加剤ノズル１４２は、電子制御コントローラ３からの制御信号を受けて排気ガスに燃料を添加するものであり、その先端部が排気通路１４の内部に突出するように設けられている。なお、エンジン本体１の出力に寄与しない時期に燃料噴射ノズル１６から燃料を噴射することによって排気ガスに燃料を添加する、いわゆるポスト噴射を行なうように構成しても良く、添加剤の供給方式について限定するものではない。
【００３３】
排気絞り１４３は、例えばＤＣサーボモータや圧力ダイヤフラムによって駆動されるバタフライバルブを用いることで、排気通路１４の内部に生じる排気圧力を調整するものである。つまり、排気絞り１４３は、バタフライバルブの開度を調節し、排気通路１４の通路断面積を変化させることによって排気圧力を調整可能とするものである。
【００３４】
ＥＧＲ装置１５は、排気マニホールド１４１から吸気マニホールド１３３へ排気ガスの一部を再循環ガスとして還元するものである。これにより、燃焼室に供給される吸入空気の酸素濃度を低減することができて、環境負荷物質である窒素酸化物の生成を抑制することが可能となる。また、ＥＧＲ装置１５の再循環ガス通路にはＥＧＲバルブ１５１が備えられている。
【００３５】
ＥＧＲバルブ１５１は、例えばＤＣサーボモータやステップモータによって駆動される弁体を用いることで、吸気マニホールド１３３へ還元される再循環ガス量を調量するものである。つまり、ＥＧＲバルブ１５１は、電子制御コントローラ３からの制御信号を受けて弁体の開度を調節し、再循環ガス通路の通路断面積を変化させることによって再循環ガス量を調量可能とするものである。
【００３６】
次に、排気浄化装置２の構成について詳細に説明する。
【００３７】
排気浄化装置２は、排気ガスに含まれる粒子状物質を除去するものであり、主に酸化触媒担体（以降「ＤＯＣ」という。）２１やディーゼルパティキュレートフィルタ（以降「ＤＰＦ」という。）２２、差圧センサ２３、温度センサ２４で構成される。ＤＯＣ２１およびＤＰＦ２２は、円筒形状の排気通路に内設されてＤＯＣ２１が排気通路の上流側に、ＤＰＦ２２がその下流側に位置するように配置される。
【００３８】
ＤＯＣ２１は、排気ガスに含まれるＣＯ（一酸化炭素）、ＨＣ（炭化水素）ならびに粒子状物質を構成するＳＯＦ（有機可溶成分）を酸化して除去するものである。また、ＤＯＣ２１は、排気ガスに多く含まれるＮＯ（一酸化窒素）を酸化することによってＮＯ２（二酸化窒素）に変化させたり、添加剤ノズル１４２から排気ガスに添加された燃料を酸化することによって排気ガス温度を上昇させたりすることも可能としている。
【００３９】
ＤＰＦ２２は、主に煤等からなる粒子状物質を捕集することで排気を濾過するとともに、捕集した粒子状物質を酸化して除去するものである。本実施形態においては、炭化ケイ素を基材としたＤＰＦ２２が用いられており、排気ガスに含まれる粒子状物質は、ＤＰＦ２２に形成された微細な穴を通過する際に捕集されることとなる。このようにして捕集された粒子状物質は、排気ガスが酸化反応を進行させることができる温度（再生可能限界温度Ｔｒより高い温度）であることを条件として、排気ガスに含まれる酸素ならびにＤＯＣ２１で生成されたＮＯ２によって酸化されることとなる。
【００４０】
差圧センサ２３は、ＤＯＣ２１よりも上流側に配置される上流側センサ２３ａと、ＤＰＦ２２よりも下流側に配置される下流側センサ２３ｂとを備え、それぞれの測定値からＤＯＣ２１およびＤＰＦ２２の上流側と下流側の圧力差を検出するものである。
【００４１】
そして、差圧センサ２３は、電子制御コントローラ３に時々刻々と検出結果を伝達するものとされる。これによって、電子制御コントローラ３は、ＤＯＣ２１およびＤＰＦ２２の上流側と下流側の圧力差の経時変化を把握することができて、ＤＰＦ２２における粒子状物質の堆積量を推定することが可能とされる。
【００４２】
温度センサ２４は、その先端部がＤＯＣ２１とＤＰＦ２２の間に位置するように排気通路に配置され、ＤＰＦ２２に導入される排気ガスの温度を測定するものである。そして、温度センサ２４は、電子制御コントローラ３に時々刻々と検出結果を伝達するものとされる。電子制御コントローラ３は、この伝達された排気ガス温度を用いたフィードバック制御によって吸気絞り１３２等への最適な制御信号を作成するものとされる。
【００４３】
なお、本実施形態に係るディーゼルエンジン１００では、排気浄化装置２よりも下流側に排気絞り２５が配置されて、排気浄化装置２の内部に生じる排気圧力を適切に調整可能としている。
【００４４】
次に、電子制御コントローラ３について詳細に説明する。
【００４５】
電子制御コントローラ３は、主として中央処理装置、記憶装置等により構成される。電子制御コントローラ３は、排気浄化装置２に設けられた差圧センサ２３や温度センサ２４、そして、図示しないアクセルペダル等のエンジン出力設定手段と電気的に接続されて、これらからの電気信号に基づいて制御信号を作成するとともに前述した燃料噴射ノズル１６等に制御信号を出力するものである。
【００４６】
なお、電子制御コントローラ３は、運転席等に配置された視覚通知手段である表示パネル４と電気的に接続されて、双方向に電気信号を伝達可能としている。図８に示すように、表示パネル４には、排気浄化装置２の状態に応じて点灯される再生指示ランプ４１や再生中ランプ４２、その他、ディーゼルエンジン１００の制御について任意に操作可能とするボタン４３・４４等が配置される。
【００４７】
電子制御コントローラ３には、オペレータの要求に応じてエンジン本体１の運転を制御するとともにＤＰＦ２２の強制再生等に必要とされる所定の制御を行なうべく、燃料噴射マップ、ＥＧＲマップ、吸気絞りマップ、排気絞りマップ等の制御マップが記憶されている。また、エンジン主体部１１の燃焼室に供給される燃料噴射量とエンジン回転数とからディーゼルエンジン１００の出力を算出するための出力マップが記憶されている。
【００４８】
燃料噴射マップ等の各制御マップは、例えばオペレータが要求したエンジン回転数やトルクを確保したり、例えば粒子状物質の酸化に必要とされる排気ガス温度を確保したりするために、予め試験によって見出された最適な制御ファクターが記憶されたものである。そして、電子制御コントローラ３は、各マップから制御ファクターを呼出して制御信号を作成することによってディーゼルエンジン１００を最適に制御可能としている。
【００４９】
以上のような構成において、ディーゼルエンジン１００におけるＤＰＦ２２の再生制御について図２から図４を用いて説明する。
【００５０】
図２はディーゼルエンジン１００のエンジン回転数とトルクとの関係を示した出力特性図である。図３はディーゼルエンジン１００の出力と吸気絞り１３２の開度との関係を示したものであり、図４はディーゼルエンジン１００の出力と排気ガスの温度との関係を示したものである。なお、図中に示した破線は吸気絞り１３２を全開状態で固定し、吸入空気量を調量しなかった場合について示している。
【００５１】
図２に示すように、ディーゼルエンジン１００のエンジン回転数は、ローアイドル回転数Ｎｍｉｎからハイアイドル回転数Ｎｍａｘまで任意に変更可能とされる。そして、ディーゼルエンジン１００は、エンジン回転数ごとに設定された最大トルクを結ぶ最大トルクカーブＴｃｕｒｖｅに囲まれた範囲内で運転可能とされる。
【００５２】
エンジン回転数とトルクとの関数であるディーゼルエンジン１００の出力は、ディーゼルエンジン１００の運転状態に基づいて、即ちエンジン主体部１１の燃焼室に供給される燃料噴射量とエンジン回転数とに基づいて電子制御コントローラ３によって算出される。
【００５３】
具体的には、電子制御コントローラ３は、前述した燃料噴射マップを参照することによって燃料噴射ノズル１６から燃焼室に供給される燃料噴射量を把握し、この燃料噴射量とエンジン回転数とから出力マップを用いて出力を算出するものとされる。なお、ディーゼルエンジン１００の出力は、図２における点Ｐ１において最大となる。
【００５４】
また、本発明に係るディーゼルエンジン１００においては、図中に示した出力境界値Ｐｔｒ以上の出力となる運転領域（図示右上方側）を高出力運転領域、出力境界値Ｐｔｒ未満の出力となる運転領域（図示左下方側）を低出力運転領域と定義している。なお、出力境界値Ｐｔｒは、ディーゼルエンジン１００の使用条件等から試験によって定められる値であり、具値的な数値について限定するものではない。
【００５５】
本発明の第一実施形態に係るディーゼルエンジン１００では、該ディーゼルエンジン１００の出力が出力境界値Ｐｔｒより高い場合、即ちディーゼルエンジン１００の出力が高出力運転領域にある場合においては、ＤＰＦ２２に堆積している粒子状物質を酸化させるための所定の制御を行なわないものとされる。つまり、ディーゼルエンジン１００の出力が高出力運転領域にある場合には強制再生を行なわず、常に連続再生を維持するものとされる。従って、吸気絞り１３２や排気絞り１３４・２５、燃料噴射ノズル１６等には、粒子状物質を酸化させるための所定の制御を禁止する旨の制御信号が出力される。
【００５６】
具体的には、図３に示すように、吸気絞り１３２に対して開度を全開状態に保持することで吸入空気量の調量を禁止する旨の制御信号を出力し、燃焼室に供給される吸入空気量を最大とする。また、排気絞り１４３・２５に対しては開度を全開状態に保持することで排気圧力の調整を禁止する旨の制御信号を出力し、排気ガスを円滑に排出可能とする。更に、燃料噴射ノズル１６に対しては通常運転用の燃料噴射マップに基づいて制御信号が出力される。
【００５７】
このように制御を行なうことで、図４に示すように、ディーゼルエンジン１００の出力が高出力運転領域にある場合の排気ガスの温度は、ディーゼルエンジン１００の出力の減少に伴って大きく低下することとなるが、再生可能限界温度Ｔｒより低くなることはない。そのため、ＤＰＦ２２は常に連続再生を維持することが可能とされる。
【００５８】
これにより、ディーゼルエンジン１００の出力が高出力運転領域にある場合においては、連続再生から強制再生への切り替えによるエンジン音や出力特性の変化を防止できて、オペレータが異常として誤認することを防ぐことが可能となる。
【００５９】
一方、ディーゼルエンジン１００の出力が出力境界値Ｐｔｒより低い場合、即ちディーゼルエンジン１００の出力が低出力運転領域にある場合においては、ＤＰＦ２２に堆積している粒子状物質を酸化させるための所定の制御を行なうものとされる。つまり、ディーゼルエンジン１００の出力が低出力運転領域にある場合には強制再生を行なうものとされる。従って、吸気絞り１３２や排気絞り１３４・２５、燃料噴射ノズル１６、添加剤ノズル１４２等には、粒子状物質を酸化させるための所定の制御を行なう旨の制御信号が出力される。
【００６０】
具体的には、図３に示すように、吸気絞り１３２に対してディーゼルエンジン１００の出力に応じた開度まで閉弁することで吸入空気量の調量を行なう旨の制御信号を出力し、燃焼室に供給される吸入空気量を制限させる。また、排気絞り１４３・２５に対しては適切な開度まで閉弁することで排気圧力の調整を行なう旨の制御信号を出力し、排気ガスの排出を制限させる。更に、燃料噴射ノズル１６に対しては強制再生用の燃料噴射マップに基づいて制御信号を出力することで燃料噴射パターン等を変更するとともに、添加剤ノズル１４２に対しては適当な時期に適量の燃料を添加するように制御信号を出力する。
【００６１】
このような制御による効果を詳細に説明すると、エンジン主体部１１の燃焼室に供給される吸入空気量を制限するとともに燃料噴射パターン等を変更することによって、ディーゼルエンジン１００の出力に対する排気ガスの温度を上昇させることが可能となる。更に、添加剤ノズル１４２によって排気ガス中に添加された燃料をＤＯＣ２１に酸化させることで、強制的に排気ガス温度を上昇させることが可能となる。なお、エンジン本体１から排出される排気ガス量に応じて排気絞り１４３・２５の開度を変更することで最適な排気圧力を確保することができる。
【００６２】
このように制御を行なうことで、図４に示すように、ディーゼルエンジン１００の出力が低出力運転領域にある場合においても排気ガスの温度が再生可能限界温度Ｔｒより低くならず、ＤＰＦ２２を再生させることが可能となる。
【００６３】
なお、本発明の第一実施形態に係るディーゼルエンジン１００は、該ディーゼルエンジン１００の出力が高出力運転領域にある場合に連続再生から強制再生へ切り替えることを禁止することを特徴とするとともに、該ディーゼルエンジン１００の出力が低出力運転領域にある場合には該ディーゼルエンジン１００の出力に応じた再生制御を行なうものとしている。
【００６４】
従って、出力境界値Ｐｔｒを比較的に低出力側に設定した場合では、図５に示すように、ディーゼルエンジン１００の出力が高出力運転領域から低出力運転領域へ移行したときに吸気絞り１３２の開度を所定の開度まで即座に閉弁させて、その後にディーゼルエンジン１００の出力に応じた再生制御を行なうものとしても良い。こうすることで、エンジン音や出力特性に変化が生じない高出力運転領域を広く確保することができるとともに低出力運転領域において排気ガス温度を一時的に上昇させることが可能となり、ＤＰＦ２２の再生を良好に行なうことが可能となる（図６参照。）。
【００６５】
次に、本発明の第二実施形態に係るディーゼルエンジン１００の再生制御について、図７を用いて説明する。図７は本実施形態に係るディーゼルエンジン１００の出力と排気ガスの温度との関係を示したものである。
【００６６】
本発明の第二実施形態に係るディーゼルエンジン１００では、図７に示すように、高出力運転領域と低出力運転領域を定めるための排気ガス温度境界値Ｔｔｒが定義されている。これは、温度センサ２４によって検出された排気ガス温度が、排気ガス温度境界値Ｔｔｒ以上となる運転領域（図示上方側）を高出力運転領域、排気ガス温度境界値Ｔｔｒ未満となる運転領域（図示下方側）を低出力運転領域と定義するものである。
【００６７】
なお、本実施形態におけるディーゼルエンジン１００においては、温度センサ２４により検出された排気ガス温度の値を用いて、電子制御コントローラ３によって出力を算出するものとされる。そして、該ディーゼルエンジン１００の出力が高出力運転領域にある場合には連続再生を維持するものとされ、該ディーゼルエンジン１００の出力が低出力運転領域にある場合には該ディーゼルエンジン１００の出力に応じた再生制御を行なうものとされる。
【００６８】
これにより、ＤＰＦ２２に導入される排気ガスの温度によってディーゼルエンジン１００の出力が高出力運転領域にあるか否かを判断できるために、ＤＰＦ２２の再生制御を簡易なものとすることが可能となる。
【００６９】
また、本発明に係るディーゼルエンジン１００では、図８に示すように、表示パネル４に設けられた強制再生中止ボタン４３を操作することによって強制再生を任意に中止可能としている。これにより、ディーゼルエンジン１００の出力が低出力運転領域にある場合においても、該ディーゼルエンジン１００の使用状況等に応じて強制再生を中止することができ、例えば繊細な作業を行なう場合においてエンジン音や出力特性の変化を防止することが可能となる。
【００７０】
そして、表示パネル４に設けられた強制再生実行ボタン４４を操作することによって強制再生を任意に実行することができ、繊細な作業が終了した後に再生制御を行なうことなどによって、運転操作性を向上させている。
【００７１】
なお、ディーゼルエンジン１００の出力が高出力運転領域から低出力運転領域に移行した場合に、該ディーゼルエンジン１００の出力に応じた強制再生に自動で切り替えるか、又はオペレータが強制再生実行ボタン４４を操作することによって切り替えるかを選択する切り替えスイッチ４５が設けられており、これによって、更なる運転操作性の向上を図ることが可能とされている。
【符号の説明】
【００７２】
１          エンジン本体
２          排気浄化装置
３          電子制御コントローラ
４          表示パネル（変更手段）
１１        エンジン主体部
１６        燃料噴射ノズル
２１        酸化触媒担体（ＤＯＣ）
２２        ディーゼルパティキュレートフィルタ（ＤＰＦ）
２３        差圧センサ
２４        温度センサ
４３        強制再生中止ボタン
４４        強制再生実行ボタン
４５        切り替えスイッチ
１００      ディーゼルエンジン
Ｐｔｒ      出力境界値
Ｔｔｒ      排気ガス温度境界値
【図１】
2010281312.tif 000003
【図２】
2010281312.tif 000004
【図３】
2010281312.tif 000005
【図４】
2010281312.tif 000006
【図５】
2010281312.tif 000007
【図６】
2010281312.tif 000008
【図７】
2010281312.tif 000009
【図８】
2010281312.tif 000010